(57)【要約】【課題】  作業員の熟練度に依存することなく、容易に、かつ、高精度に間仕切パネル同士の接続が行え、また、壁面に凹凸ができることなく接続ができる低コストな間仕切パネルを提供すること。【解決手段】  ブロック状の接合部材２を一対のパネル本体１外面から突出するように一対のパネル本体内１に止着接合して、嵌合凸部２１と、その嵌合凸部２１と対向する他方の端面に該嵌合凸部２１と嵌合関係になるように凹形状を形成する。そして、一の間仕切パネルの嵌合凸部２１を、接続させる他の間仕切パネルの嵌合凸部２１と対向する他方の凹状の端面に嵌合させることで間仕切パネル同士を接続する。【選択図】        図１
2005113631.tif 000002
【特許請求の範囲】
【請求項１】
一対のパネル本体とブロック状の接合部材とを備えてなり、該接合部材を挟んで該パネル本体同士が並設するように、かつ、該接合部材を該パネル本体同士の一端面から突出するように該パネル本体同士と該接合部材とを止着接合させて嵌合凸部を形成すると共に、該嵌合凸部と対向する他方の端面が該嵌合凸部と嵌合関係になるように凹状に形成されて、連設可能に構成されたことを特徴とする間仕切パネル。
【請求項２】
前記嵌合凸部と対向する他方の端面に、該端面を保護する着脱可能な保護キャップを設けたことを特徴とする請求項１記載の間仕切パネル。
【発明の詳細な説明】
【技術分野】
【０００１】
この発明は、マンションや一戸建て住宅を施工する際、各部屋を仕切るために用いられる間仕切パネルに関する。
【背景技術】
【０００２】
従来から、間仕切パネルは、オフィス、工場等で室内を所望の区画に仕切るタイプの間仕切パネルと、マンションや一戸建て住宅を施工する際、各部屋を仕切るために用いられる間仕切パネルとがある。
【０００３】
特に後者の間仕切パネルは、従来、建築現場において作業員が板材やボード等を用いて製作していた間仕切を、在来木軸工法の問題点である現場施工による工期の長期化、仕上がり具合、建築コストの高騰、あるいは残材（産業廃棄物）の大量発生、等を解消するために、工場生産化したものである。このように、間仕切を工場生産としたことで、上記の問題が解消され、現在、好適な建築資材となっている。
【０００４】
この間仕切パネルの従来の構成は、適宜、凹部を設けた柱状部材を用いて該凹部が外面となるように方形状に枠組みされ、この枠体を挟んで一対のパネルを止着接合させた構成となっている。そして、この凹部と嵌合する雇い実（接合部材）を別途用意し、この雇い実を介して間仕切パネル同士の凹部を接続することで、所望した枚数の間仕切パネルを連設していくことが一般的である(例えば、特許文献１参照）。
【０００５】
また、前者の間仕切パネルの接続としては、例えば、間仕切パネルとは別部材の支柱を設け、該支柱を介して間仕切パネルを接続する方法が知られている(例えば、特許文献２参照）。
【特許文献１】特開平５−４４２８１号公報  （第２頁、第１図）
【特許文献２】特開平７−２１７０３４号公報  （第４頁、第１図）
【発明の開示】
【発明が解決しようとする課題】
【０００６】
しかしながら、上記したように、在来木軸工法等において各部屋を仕切る後者の間仕切パネル同士の接続は、各パネル同士の凹部が一致するように注意を払いながら雇い実で嵌合するのが一般的であるため、段取りなどの手間がかかり、また、作業員の熟練度に依存していることからも、施工性が悪いという問題があった。
【０００７】
また、前者の間仕切パネル同士の接続は、上記したように、支柱を介して接続するものがあるが、各部屋を仕切る間仕切パネル工法に適用した場合、壁面に凹凸ができるため、壁面とは無関係の接続用の支柱を採用することはできない。仮に、凹凸ができないように支柱を構成したとしても、支柱という部品点数の増加により、コストがかさみ経済的でないという問題があった。
【０００８】
そこで、本発明は、作業員の熟練度に依存することなく、容易に、かつ、高精度に間仕切パネル同士の接続が行え、また、壁面に凹凸ができることなく接続ができる各部屋仕切用の間仕切パネルを提供することにある。
【課題を解決するための手段】
【０００９】
上記課題を解決するために本発明にかかる間仕切パネルは、下記の技術的手段を講じた。
【００１０】
すなわち、請求項１の発明は、一対のパネル本体とブロック状の接合部材とを備えてなり、該接合部材を挟んで該パネル本体同士が並設するように、かつ、該接合部材を該パネル本体同士の一端面から突出するように該パネル本体同士と該接合部材とを止着接合させて嵌合凸部を形成すると共に、該嵌合凸部と対向する他方の端面が該嵌合凸部と嵌合関係になるように凹状に形成されて、連設可能に構成されたことを特徴とする。
【００１１】
上記技術的手段によれば、上記構成の間仕切パネルを複数個用意し、一の間仕切パネルの嵌合凸部を、他の間仕切パネルの嵌合凸部と対向する他方の凹状の端面に嵌合させて、間仕切パネル同士を接続する。所望した枚数の間仕切パネルを同様の接続方法を繰り返して接続し、所望した枚数の間仕切パネルを連設する。
【００１２】
請求項２の発明は、請求項１において、前記嵌合凸部と対向する他方の端面に、該端面を保護する着脱可能な保護キャップを設けたことを特徴とする。
【００１３】
上記技術的手段によれば、保護キャップが、間仕切パネルの嵌合凸部と対向する他方の端面を保護して、嵌合面の損傷を防止する。
【発明の効果】
【００１４】
本発明は、以上のように構成したので下記の有利な効果を奏する。
【００１５】
請求項１によれば、ブロック状の接合部材を一対のパネル本体外面から突出するように一対のパネル本体内に止着接合して、嵌合凸部と、その嵌合凸部と対向する他方の端面に該嵌合凸部と嵌合関係になるように凹形状を形成したから、一の間仕切パネルの嵌合凸部を、接続させる他の間仕切パネルの嵌合凸部と対向する他方の凹状の端面に嵌合させることで、雇い実などの接続部材を別途用意することも無く、また、作業員の熟練度に依存することなく、容易に、かつ、高精度に間仕切パネル同士の接続ができる。
【００１６】
また、接合部材が露出することもないので、壁面に凹凸ができることなく間仕切パネル同士の接続ができる。
【００１７】
さらに、間仕切パネル同士の接合手段を極めて簡単な構成にしたから、低コストな接合手段を有した間仕切パネルを提供できる。
【００１８】
請求項２によれば、保護キャップが、間仕切パネルの凸部と対向する他方の端面を保護して嵌合面の損傷を防止するから、搬送時等に外力を起因とした嵌合面の損傷による不良品の発生を未然に防止することができる。
【発明を実施するための最良の形態】
【００１９】
次に本発明にかかる間仕切パネルの実施形態を図面に基づいて説明する。図１〜図４は実施形態１を、図５は実施形態２を、図６は実施形態３を夫々例示している。
（実施形態１）
実施形態１における間仕切パネルは、図１〜図４に示したように、方形状を呈した化粧板などの板部材からなる一対のパネル本体１と、パネル本体１の縦幅と略同寸法の縦幅寸法と所要の横幅寸法の角材で構成されたブロック状の接合部材２と、パネル本体１の縦幅より幅広でかつ接合部材２の横幅寸法と同寸の角材で構成された柱体３と、保護キャップ４とを備えて構成されている。
【００２０】
そして、接合部材２が、パネル本体１同士の上下面から突出しないように、かつ、接合部材２をパネル本体１同士の一端面から突出するようにパネル本体１同士と接合部材２とを止着接合させて嵌合凸部２１が形成されていると共に、柱体３をパネル本体１同士の上面から突出しないようにかつパネル本体１下面から延出するようにパネル本体１内中途域に、所定間隔をおいて止着接合されている。
【００２１】
この嵌合凸部２１の先端部は、図示したように先端に向って若干先細となるように案内傾斜面が形成されており、一の間仕切パネルの嵌合凸部２１を、接続させる他の間仕切パネルの嵌合凹部２２に嵌合させる際に容易に挿嵌できるようになっている。
【００２２】
この嵌合凸部２１と嵌合関係になるように凹状に形成された嵌合凹部２２には、搬送時における嵌合凹部２２の損傷を防止するための着脱可能な保護キャップ４が取着されており、間仕切施工する際に容易に取り外せるようになっている。この保護キャップ４の材質は、ウレタンゴム、発砲スチロールなどの外力の衝撃を吸収し、軽量のものが好ましいものである。
【００２３】
以上のように連設可能に構成された実施形態１における間仕切パネルは、施工現場において、まず、保護キャップ４を凹部２２から取り外す。
【００２４】
そして、図３及び図４に示すように、予め基礎面Ａに敷設された断面コ字状のランナーＢに柱体３下部を挿嵌させて釘着固定すると共に、一の間仕切パネルの嵌合凸部２１を、接続させる他の間仕切パネルの嵌合凹部２２に嵌合させて、間仕切パネル同士を接続する。
【００２５】
続いて、この嵌合された嵌合凸部２１と嵌合凹部２２とが固定されるようにパネル同士を釘着させる。この施工方法を繰り返して所望した枚数の間仕切パネルを接続して間仕切が完了する。
（実施形態２）
実施形態２における間仕切パネルは、図５に示したように、実施形態１で例示した接合部材２の縦幅を短くした接合部材２ｂを用い、パネル本体１同士の上下面内に複数個（図においては２個）設けた例であり、他の構成は実施形態１と同一なため、同一符号を付して詳細な説明は省略する。
（実施形態３）
実施形態３の間仕切パネルは、図６に示したように、実施形態１または実施形態２の間仕切パネルに用いた柱体３を除いたものであり、他の構成は実施形態１または実施形態２と同一なため、同一符号を付して詳細な説明は省略する。
【００２６】
なお、本実施形態では、間仕切パネル内に桟や断熱材などは特に設けていないものを例示したが、このものに限定されず、これらの桟や断熱材などを必要に応じて設けても良いもので、その態様は任意である。
【産業上の利用可能性】
【００２７】
このように本発明は、マンションや一戸建て住宅を施工する際に、作業員の熟練度に依存することなく、容易に、かつ、高精度に間仕切パネル同士の接続が行え、また、壁面に凹凸ができることなく接続ができる各部屋仕切用の間仕切パネルを提供するものである。
【図面の簡単な説明】
【００２８】
【図１】保護キャップを外した状態の実施形態１にかかる間仕切パネルの斜視図である。
【図２】保護キャップを取着した状態の平面図である。
【図３】他の間仕切パネルと接続した状態の横断平面図である。
【図４】他の間仕切パネルと接続した状態の正面図である。
【図５】保護キャップを外した状態の実施形態２にかかる間仕切パネルの斜視図である。
【図６】保護キャップを取着した状態の実施形態３にかかる平面図である。
【符号の説明】
【００２９】
１  パネル本体
２  接合部材
２１  嵌合凸部
２２  嵌合凹部
３  柱体
４  保護キャップ
Ａ  基礎面
Ｂ  ランナー
【図１】
2005113631.tif 000003
【図２】
2005113631.tif 000004
【図３】
2005113631.tif 000005
【図４】
2005113631.tif 000006
【図５】
2005113631.tif 000007
【図６】
2005113631.tif 000008